(57)【特許請求の範囲】
【請求項１】
Ｘ線照射手段を内部に備え、前記Ｘ線照射手段の前面に設けた照射筒装着口に照射筒を装着したＸ線発生装置の内部に配置され、異なる照光形式で可視光を照光する複数の照光手段で構成し、
該複数の照光手段を、
該照光手段から照光する照光軸が、前記Ｘ線照射手段から前方に向けて照射するＸ線が通る前記照射筒の内側の貫通空間を通るとともに、前記Ｘ線のＸ線照射軸と軸対称とし、且つ、前記Ｘ線照射軸上で交差するように配置した
Ｘ線照射方向明示器。
【請求項２】
前記照射筒を、透明性を有する透明樹脂で構成した
請求項１に記載のＸ線照射方向明示器。
【請求項３】
前記複数の照光手段を、
前記Ｘ線照射軸を中心として等間隔に配置した
請求項１または２に記載のＸ線照射方向明示器。
【請求項４】
前記異なる照光形式を、
光の色、断面形状、明度及び発光パターンのうちいずれかひとつ、あるいはそれらを組み合わせた形式とした
請求項１乃至３のうちいずれかに記載のＸ線照射方向明示器。
【請求項５】
前記異なる照光形式が、
交差状態において合成して所望の照光形式を構成する照光形式であることを特徴とする
請求項１乃至４のうちいずれかに記載のＸ線照射方向明示器。
【請求項６】
前記照光手段の照光角度を調整する角度調整手段を備えた
請求項１乃至５のうちいずれかに記載のＸ線照射方向明示器。
【請求項７】
前記照光手段から照光する可視光を肌色に非類似の色で照光することを特徴とする
請求項１乃至６のうちいずれかに記載のＸ線照射方向明示器。
【請求項８】
前記照光手段を、
前記照射筒の筒先より前方のＸ線照射軸上で交差するように配置した
請求項１乃至７のうちいずれかに記載のＸ線照射方向明示器。
【請求項９】
Ｘ線ヘッドで構成するとともに、
請求項１乃至８のうちいずれかに記載のＸ線照射方向明示器を備えた
Ｘ線発生装置。
【請求項１０】
前記照光手段を、２つの照光手段で構成し、
前記Ｘ線照射軸に対して軸対称に配置し、且つ前記照光軸が水平となるように配置した
請求項９に記載のＸ線発生装置。
【請求項１１】
前記照光手段のＯＮ／ＯＦＦを制御する制御部と、
前記照光手段をＯＮ操作する操作スイッチとを備え、
前記操作スイッチを、面状の接触感知スイッチで構成するとともに、前記照射筒を含む前記Ｘ線発生装置の表面の少なくとも一部に配置し、
前記制御部を、前記操作スイッチのＯＮ操作に応じて、前記照光手段をＯＮ制御し、所定時間経過後にＯＦＦ制御する構成とした
請求項９または１０に記載のＸ線発生装置。
【発明の詳細な説明】
【技術分野】
【０００１】
本発明は、例えば、歯科診療において口腔内を撮影する口内法Ｘ線撮影装置を用いて患部のＸ線写真を撮影する際において、予めＸ線の照射方向を明示するＸ線照射方向明示器、Ｘ線照射方向明示器を備えた照射筒、及びＸ線照射方向明示器を備えたＸ線発生装置に関する。
【背景技術】
【０００２】
歯科診療において、口腔内をＸ線で撮影した画像を確認し、疾患の程度や、治療の結果を判断することが重要である。例えば、そのためのＸ線撮影装置として、パノラマＸ線撮影装置、Ｘ線ＣＴ撮影装置、セファロＸ線撮影装置、断層撮影装置、あるいはデンタルＸ線撮影装置といわれる口内法Ｘ線撮影装置等がある。  
なお、上述の診療は、診断、診察及び治療を含む概念である。
【０００３】
これらのＸ線撮影装置のうち口内法Ｘ線撮影装置は、口腔内にデンタルＸ線フィルム等のＸ線検出器を挿入し、Ｘ線発生装置を患部に対して位置調整する。そして、Ｘ線発生装置からＸ線を照射し、口腔内に挿入したＸ線検出器で撮影する。
【０００４】
なお、Ｘ線発生装置から照射されるＸ線の照射方向がＸ線検出器に対してずれていると、正確な画像を取得できず、再撮影を余儀なくされることから、Ｘ線被曝線量が増えるという問題があった  
そこで、Ｘ線発生装置のＸ線照射方向の前方に備えられた円筒状の照射筒の先端付近において、前方に可視光を照光する複数の導光体を、可視光がＸ線の照射軸上で交差するように周方向に等間隔で配置した照射筒が提案されている（特許文献１参照）。
【０００５】
この照射筒をＸ線発生装置に装着し、導光体から照光される可視光の交差部分を患部に合わせることにより、予めＸ線発生装置から照射されるＸ線の照射方向を設定できるとともに、Ｘ線発生装置から患部までの適切な距離を合わせることができるとされている。
【０００６】
しかしながら、可視光が投影される患部表面の皮膚は立体形状であり、可視光の交差部分を正確に患部に合わせることは困難であった。詳述すると、照射筒において、円筒状の周方向に等間隔に配置された導光体のそれぞれから照光された可視光は、Ｘ線照射軸上の交差部分に向かって近づいていき、交差部分を過ぎると、Ｘ線照射軸に対して軸対称とした配置で離れていく。
【０００７】
そうすると、患部表面の皮膚において可視光が複数投影された状態では、交差部分より手前側で可視光が投影されている、つまり距離が所定距離より短いということなのか、逆に、交差部分より奥側で可視光が投影されている、つまり距離が所定距離より長いということなのか判断することができず、投影された可視光を確認しながら、Ｘ線発生装置を少しずつ移動させて交差部分を探し、適切な位置に移動する必要があった。
【先行技術文献】
【特許文献】
【０００８】
【特許文献１】実開昭５８−１４０５号公報
【発明の概要】
【発明が解決しようとする課題】
【０００９】
この発明は、照光された可視光を患部表面の皮膚に投影しながら、Ｘ線発生装置を患部に対して適切な位置に、容易に位置調整することができるＸ線照射方向明示器、Ｘ線照射方向明示器を備えた照射筒、及びＸ線照射方向明示器を備えたＸ線発生装置を提供することを目的とする。
【課題を解決するための手段】
【００１０】
この発明は、Ｘ線照射手段を内部に備え、前記Ｘ線照射手段の前面に設けた照射筒装着口に照射筒を装着したＸ線発生装置の内部に配置され、異なる照光形式で可視光を照光する複数の照光手段で構成し、該複数の照光手段を、該照光手段から照光する照光軸が、前記Ｘ線照射手段から前方に向けて照射するＸ線が通る前記照射筒の内側の貫通空間を通るとともに、前記Ｘ線のＸ線照射軸と軸対称とし、且つ、前記Ｘ線照射軸上で交差するように配置したＸ線照射方向明示器であることを特徴とする。
【００１１】
上述の照光形式は、光の色、形状、明度、発光パターン、強度（照度）、例えば、レーザ光を照射するレーザ照射源とＬＥＤ発光装置のように異なる光源による光の種類、あるいはこれらの組み合わせとすることができる。
【００１２】
上述のＸ線照射方向明示器は、Ｘ線発生装置に組み付けたＸ線照射方向明示器、Ｘ線発生装置に装着する部品に組み付けたＸ線照射方向明示器、あるいは、Ｘ線発生装置や装着する部品に対して取り付けるＸ線照射方向明示器とすることができる。  
なお、複数の照光手段から照光された可視光のＸ線照射軸上における交差部分は、Ｘ線発生装置に対する患部表面の皮膚までの距離の目安となる。
【００１３】
上記照射筒は、Ｘ線発生装置のＸ線照射口において一体構成された照射筒、あるいは別体構成された照射筒を含み、さらには脱着自在にＸ線照射口に装着される照射筒とすることができる。
【００１４】
この発明により、照光された可視光を患部表面の皮膚に投影しながら、Ｘ線発生装置を患部に対して適切な位置に、容易に位置調整することができる。  
詳しくは、複数の照光手段から照光された可視光は、Ｘ線照射軸上の交差部分に向かって近づいていき、交差部分を過ぎると、Ｘ線照射軸に対して軸対称とした位置関係で離れていくが、それぞれの照光手段から照光された可視光は異なる照光形式であるため、患部表面の皮膚に投影された可視光の位置関係を確認するだけで容易に交差部分に対する前後関係を把握することができる。
【００１５】
具体的には、患部表面の皮膚に投影された可視光がひとつである、つまり複数の照光手段から照光された可視光が合成されていれば交差部分に対応する適切な位置であることを示し、異なる照光形式の可視光がＸ線照射方向明示器に配置されたままの位置関係で投影されている場合は、交差部分より手前側で可視光が投影されている、つまり距離が所定距離より短いということとなる。
【００１６】
これに対し、患部表面の皮膚に投影された異なる照光形式の可視光がＸ線照射方向明示器に配置された位置関係と比べ、Ｘ線照射軸に対して軸対称な位置関係であれば、交差部分より奥側で可視光が投影されている、つまり距離が所定距離より長いということを判断することができる。
【００１７】
このように、それぞれの照光手段から照光された可視光を異なる照光形式で照光しているため、患部表面の皮膚に投影された可視光の位置関係を確認することで、容易に交差部分に対する前後関係を把握することができ、照光された可視光を患部表面の皮膚に投影しながら、Ｘ線発生装置を患部に対して適切な位置に、容易に位置調整することができる。  
したがって、効率よくＸ線検出器で正確な画像を撮影し、正確な画像に基づいて適確な診療を行うことができる。
【００１８】
この発明の態様として、前記照射筒を、透明性を有する透明樹脂で構成することができる。 
上記透明性は、透明だけでなく、不透明であっても、外部から可視光を視認できる程度に透けたものも含む概念である。
【００１９】
この発明により、外部より、照光手段から照光される可視光を視認することができる。したがって、不透光性の照射筒の場合において可視光の視認できる位置に回り込んで、投影された可視光を確認して位置調整する等の無駄がなく、安全且つ速やかに、投影された可視光を確認しながら、Ｘ線発生装置を患部に対して適切な位置に、容易に位置調整することができる。
【００２０】
この発明の態様として、前記複数の照光手段を、前記Ｘ線照射軸を中心として等間隔に配置することができる。  
この発明により、照光軸がＸ線照射軸と軸対称となるように、且つＸ線照射軸上で確実に交差するように複数の照光手段を配置することができる。詳しくは、各照光手段のＸ線照射軸に対する照光方向を同方向とし、照光手段を、前記Ｘ線照射軸を中心として軸対称となるようにＸ線照射筒又はＸ線発生器に等間隔に配置するだけで容易、且つ確実に、照光軸がＸ線照射軸上で確実に交差するように複数の照光手段を配置することができる。
【００２１】
また、患部表面の皮膚に投影された可視光の間隔を確認することによって、Ｘ線発生装置の患部表面に対する傾斜方向を確認することができる。  
詳しくは、例えば、３以上の照光手段を、Ｘ線照射軸を中心として等間隔で配置した場合、患部表面の皮膚に投影された可視光の位置関係が等間隔でなければ、Ｘ線照射軸が患部表面に対して傾斜する方向であることが確認できる。
【００２２】
またこの発明の態様として、前記異なる照光形式を、光の色、断面形状、明度及び発光パターンのうちいずれかひとつ、あるいはそれらを組み合わせた形式とすることができる。
【００２３】
なお、上述の異なる照光形式は、各照光手段から照光された可視光のすべてが、光の色、断面形状、明度及び発光パターンのうちいずれかひとつ、あるいはそれらを組み合わせた形式で異なる場合のみならず、例えば、３以上の照光手段を備えた場合において、ある可視光の組み合わせでは光の色が異なり、別の可視光の組み合わせでは断面形状が異なるといったように、各照光手段から照光された可視光を識別できるような照光形式の異なるパターンを含む概念とする。
【００２４】
この発明により、それぞれの照光手段から投影された可視光を目視で容易に識別し、患部表面の皮膚に投影された可視光の位置関係を確実に把握し、Ｘ線発生装置を患部に対して適切な位置に、効率よく位置調整することができる。
【００２５】
またこの発明の態様として、前記異なる照光形式が、交差状態において合成して所望の照光形式を構成する照光形式であることを特徴とすることができる。  
上述の交差状態において合成して所望の照光形式を構成するということは、例えば、各照光手段から異なる色の可視光を照光し、交差部分における各可視光の合成により所望の色を構成する、異なる形状の可視光を照光し、交差部分における各可視光の合成により所望の形状を構成する、あるいは、点滅タイミングを相互にずらし、交差部分において連続点灯状態の可視光とするなどの、交差部分において投影された可視光の合成により所望の照光形式とすることができる。  
この発明により、容易に交差部分を認識し、Ｘ線発生装置を患部に対して適切な位置に、さらに効率よく位置調整することができる。
【００２６】
またこの発明の態様として、前記照光手段の照光角度を調整する角度調整手段を備えることができる。  
この発明により、Ｘ線照射軸上における交差部分のＸ線発生装置に対する距離を所望の距離に調整することができる。例えば、患部の状態や、Ｘ線発生装置に装着する照射筒の長さ等に応じて、Ｘ線照射軸上におけるＸ線発生装置に対する交差部分の位置を調整する場合があるため、前記照光手段の照光角度を調整する角度調整手段を備えることにより、利便性が向上する。
【００２７】
またこの発明の態様として、前記照光手段から照光する可視光を肌色に非類似の色で照光することを特徴とすることができる。  
上記肌色に非類似の色は、黄色成分の少ない色の可視光とすることができる。
【００２８】
この発明により、患部表面の皮膚に投影された可視光を目視で容易に識別することができる。詳しくは、照光手段から照光された可視光が肌色に類似する色で照光された場合、肌色である患部表面の皮膚に投影された可視光の視認性が低いが、肌色に非類似の色で照光することにより、患部表面の皮膚に投影された可視光の視認性を向上することができる。
【００２９】
この発明の態様として、前記照光手段を、前記照射筒の筒先より前方のＸ線照射軸上で交差するように配置することができる。  
この発明により、照光軸が照射筒の外側を通り、前記照射筒の筒先より前方のＸ線照射軸上で交差する場合と比較して、筒先より交差部分までの距離の設定範囲が拡大し、汎用性が高まる。
【００３０】
またこの発明は、Ｘ線ヘッドで構成するとともに、上述のＸ線照射方向明示器を備えたＸ線発生装置であることを特徴とする。  
この発明により、Ｘ線照射方向明示器から照光された可視光を患部表面の皮膚に投影しながら、Ｘ線発生装置を患部に対して適切な位置に、容易に位置調整することができる。
【００３１】
またこの発明の態様として、前記照光手段を、２つの照光手段で構成し、前記Ｘ線照射軸に対して軸対称に配置し、且つ前記照光軸が水平となるように配置することができる。  
この発明により、水平方向に照光され、患部表面の皮膚に投影された可視光を確認しながら、Ｘ線発生装置を患部に対して適切な位置に、容易に位置調整することができる。
【００３２】
詳しくは、一般的に、Ｘ線発生装置は、上下方向に回動する回動軸が水平を維持したまま、位置調整することができる。そのように水平状態を維持したまま位置調整可能なＸ線発生装置において、２つの照光手段を前記Ｘ線照射軸に対して軸対称に配置するとともに、前記照光軸が水平となるように配置することによって、常に、水平に照光される可視光を患部表面の皮膚に投影させながら、Ｘ線発生装置を患部に対して適切な位置に、容易に位置調整することができる。
【００３３】
またこの発明の態様として、前記照光手段のＯＮ／ＯＦＦを制御する制御部と、前記照光手段をＯＮ操作する操作スイッチとを備え、前記操作スイッチを、面状の接触感知スイッチで構成するとともに、前記照射筒を含む前記Ｘ線発生装置の表面の少なくとも一部に配置し、前記制御部を、前記操作スイッチのＯＮ操作に応じて、前記照光手段をＯＮ制御し、所定時間経過後にＯＦＦ制御する構成とすることができる。
【００３４】
この発明により、容易に位置調整し、かつ安全にＸ線発生装置からＸ線を照射させて撮影することができる。  
詳しくは、照光手段をＯＮ操作する操作スイッチを面状の接触感知スイッチで構成するとともに、前記照射筒を含む前記Ｘ線発生装置の表面の少なくとも一部に配置したため、照光手段から照光された可視光を見ながら、Ｘ線発生装置を患部に対して適切な位置に位置調整するために、前記Ｘ線発生装置に接触する際に、面状の接触感知スイッチをＯＮ操作することができる。したがって、別の操作スイッチを設けた場合と比較して、操作性が向上する。
【００３５】
また、制御部が操作スイッチのＯＮ操作に基づいて照光手段をＯＮ制御するとともに、所定時間経過後にＯＦＦ制御するため、照光手段から照光された可視光が投影された状態でＸ線発生装置からＸ線を照射させてＸ線撮影することを防止できる。
【発明の効果】
【００３６】
この発明により、照光された可視光を患部表面の皮膚に投影しながら、Ｘ線発生装置を患部に対して適切な位置に、容易に位置調整することができるＸ線照射方向明示器、Ｘ線照射方向明示器を備えた照射筒、及びＸ線照射方向明示器を備えたＸ線発生装置を提供することができる。
【図面の簡単な説明】
【００３７】
【図１】口内法Ｘ線撮影装置の斜視図。
【図２】Ｘ線ヘッドについての斜視図。
【図３】可視光ビームについての説明図。
【図４】Ｘ線ヘッドに内蔵した可視光源の照光方向調整手段についての説明図。
【図５】Ｘ線ヘッドに内蔵した可視光源の別パターンの照光方向調整手段についての説明図。
【図６】Ｘ線ヘッドに内蔵した可視光源の別パターンの照光方向調整手段についての説明図。
【図７】Ｘ線ヘッドの前面に可視光源を装備したＸ線ヘッドの斜視図。
【図８】Ｘ線ヘッドの前面に装備した可視光源の照光方向調整手段についての説明図。
【図９】可視光源を内蔵した照射筒についての説明図。
【図１０】３つの可視光源を装備したＸ線ヘッドの背面側からの斜視図。
【発明を実施するための形態】
【００３８】
この発明の一実施形態を以下図面と共に説明する。  
図１は口内法Ｘ線撮影装置１の斜視図を示し、図２はＸ線ヘッド１０の斜視図を示し、図３は可視光ビーム１００についての説明図を示している。詳しくは、
図３（ａ），（ｂ）は可視光源３０から照光する可視光ビーム１００についての投影形状についての概略図を示している。なお、図３（ａ）は、赤色円形可視光ビーム１０１を照光する赤色円形可視光源３１と、青色円形可視光ビーム１０２を照光する青色円形可視光源３２とで照光した場合についての概略図を示している。これに対し、図３（ｂ）は、投影形状が逆Ｄ型である逆Ｄ型可視光ビーム１０３を照光する逆Ｄ型可視光源３３と、投影形状がＤ型であるＤ型可視光ビーム１０４を照光するＤ型可視光源３４とで照光した場合についての概略図を示している。
【００３９】
デンタルＸ線撮影装置といわれる口内法Ｘ線撮影装置１は、図１に示すように、例えば、床面に載置される基台２と、基台２の上面２ａに配置され、患者が着座するシート３と、基台２の上面２ａに植設され、支柱として機能するスタンドポール４と、スタンドポール４の上端に回動可能に接続されたアーム５と、アーム５の先端において後述するＸ線ヘッド１０を吊り下げ支持するヘッドサポート６と、ヘッドサポート６に対して回動可能に接続されたＸ線ヘッド１０と、スタンドポール４のシート３側に固定されたバックレスト７と、スタンドポール４におけるシート３と反対側に固定されたインバータボックス８とで構成している。
【００４０】
シート３は、平面視円形の座面クッション部３ａを、基台２に対して高さ調整可能に構成している。スタンドポール４は四角柱状であり、シート３の座面クッション部３ａに着座した普通人の頭部より高くなる高さで形成している。したがって、スタンドポール４のシート３側に固定されたバックレスト７は、シート３に着座した患者の背もたれとして機能する。なお、シート３とバックレスト７は患者の腰や背中を支持する被写体支持手段の構成例であるが、他に、背もたれと座部を一体にした椅子を用いても良い。
【００４１】
アーム５は、スタンドポール４の上端部４ａに対して、鉛直方向の回動軸を中心として回動する水平方向の第１アーム５ａと、第１アーム５ａの先端部５ａａに対して、鉛直方向の回動軸を中心として回動する斜め下向きの第２アーム５ｂとで構成している。
【００４２】
ヘッドサポート６は、第２アーム５ｂの先端部５ｂａに対して、鉛直方向の回動軸を中心として回動する下向き逆Ｌ字型に形成し、下端部６ａでＸ線ヘッド１０の側面１０ｂに対して水平方向の回動軸６ａｘを中心として回転支持する構成であり、Ｘ線ヘッド１０の前面１０ａに装着される照射筒２０が上下方向に揺動可能である。なお、アーム５とヘッドサポート６は、Ｘ線発生装置であるＸ線ヘッド１０を支持するＸ線発生装置支持手段の構成例である。
【００４３】
Ｘ線発生装置に対応するＸ線ヘッド１０は、平面視縦長且つ高さの低い直方体形状で形成され、内部にＸ線管球や高圧発生部等を配置し、Ｘ線遮蔽部材で覆ったＸ線照射手段１２（図２）を備え、前面１０ａに照射筒２０の装着を許容し、Ｘ線照射口に対応する照射筒装着口１１を設けるとともに、上面１０ｃの後端側隅角部に後述する可視光源３０をＯＮ操作する面状操作スイッチ４０を設けている。そして、Ｘ線ヘッド１０の照射筒装着口１１に中空円筒形状であり、透明性を有する透明樹脂で形成した照射筒２０を着脱自在に装着している。
【００４４】
なお、スタンドポール４において、シート３と反対側に固定されたインバータボックス８の内部には、Ｘ線ヘッド１０から照射するＸ線を照射制御する制御部を内蔵している。
【００４５】
このように構成された口内法Ｘ線撮影装置１では、Ｘ線ヘッド１０からＸ線を照射し、患者の口腔内にセットしたＣＣＤセンサやＭＯＳセンサ、ＣＭＯＳセンサ、その他の固体撮像素子やイメージングプレートを用いたＸ線撮像手段やＸ線フィルム等の検出器（図示省略）で患部のＸ線写真を撮影することができる。
【００４６】
また、その撮影のため、Ｘ線ヘッド１０は、アーム５及びヘッドサポート６により、シート３に着座した患者の患部に対して、水平方向に移動可能であるとともに向きを調整することができる。
【００４７】
また、ヘッドサポート６は、第２アーム５ｂの先端部５ｂａに対して、鉛直方向の回動軸を中心として回動するとともに、ヘッドサポート６の下端部６ａでＸ線ヘッド１０の側面１０ｂに対して水平方向の回動軸６ａｘを中心として上下方向に回転支持することができる。したがって、アーム５やヘッドサポート６によって、Ｘ線ヘッド１０の位置や向きを調整することができる。  
なお、上述の口内法Ｘ線撮影装置１では、スタンドポール４を基台２に立設し、基台２に患者が着座するシート３を備えたが、スタンドポール４が直接床や壁に固定されるような形態であっても良い。また、Ｘ線ヘッド１０を天井や壁からアーム機構を介して移動自在に配置したり、スタンドポール４を立設した基台２の下にキャスターを付けて移動自在とする構成等の従来の口内法Ｘ線撮影装置の構成のいずれも採用することができる。
【００４８】
続いて、Ｘ線ヘッド１０について詳述する。前面１０ａの照射筒装着口１１に装着した照射筒２０の貫通空間２０ａを通過してＸ線ビーム２００を患部に向かって照射するＸ線ヘッド１０は、内部にＸ線ビーム２００を発生させるＸ線発生手段１２と、照光手段に対応し、可視光ビーム１００を照光する可視光源３０を備えている。
【００４９】
詳しくは、Ｘ線照射手段１２は、Ｘ線ヘッド１０の前面１０ａに設けた照射筒装着口１１を通過して前方（図２において右下方向）に向かってＸ線ビーム２００を照射する。このＸ線照射手段１２から照射されたＸ線ビーム２００の光軸をＸ線照射軸２００Ｌとしている。
【００５０】
可視光源３０は、照射筒装着口１１のＸ線ヘッド１０内部に配置され、可視光ビーム１００を前方に向かって照光する。この可視光源３０から照射された可視光ビーム１００の光軸を可視光照光軸１００Ｌ（図３参照）とする。
【００５１】
この可視光源３０は、図３（ａ）に示すように、Ｘ線照射軸２００Ｌに対して軸対称に２つ配置するとともに、それぞれの可視光源３０から照光される可視光ビーム１００の可視光照光軸１００ＬがＸ線照射軸２００Ｌ上の交差ポイントＰで交差する向きで、つまりＸ線照射軸２００Ｌの前方に向かって平面視ハ字状に配置している。
【００５２】
なお、この可視光源３０の照光制御は、例えば、図２に示すように、Ｘ線ヘッド１０を位置付けする際に無意識に触れるＸ線ヘッド１０の上面１０ｃに設けられた面状の接触感知スイッチで構成する操作スイッチ４０による接触ＯＮ操作に基づき、インバータボックス８に内蔵した制御部（図示省略する）によってＯＮ制御されるとともに、所定時間経過後にＯＦＦ制御されるようにすれば、いちいち照光及び消灯のためのスイッチ操作をする必要がないため利便性が向上する。  
また、上述の交差ポイントＰは、Ｘ線ヘッド１０に対する患部表面の皮膚までの距離であるとともに、Ｘ線撮影に適した距離の目安となる。
【００５３】
続いて、Ｘ線ヘッド１０の内部において水平方向且つ、Ｘ線照射軸２００Ｌに対して軸対称に配置され、Ｘ線照射方向明示器を構成する２つの可視光源３０、つまり前記Ｘ線照射軸を中心として等間隔に配置された可視光源３０について、図３とともに詳述する。なお、図３において、ハッチングで示す図は、ハッチングの図が、投影面が配置されたそれぞれの位置における、可視光源３０から照光される可視光が投影される垂直な投影面での投影形状を示している。
【００５４】
２つの可視光源３０は、異なる照光形式で可視光ビーム１００を照光している。例えば、図３（ａ）で示すパターンでは、可視光ビーム１００の色が異なるように、Ｘ線照射軸２００Ｌの照射方向前方に向かって左側の可視光源３０を、赤色円形可視光ビーム１０１を照光する赤色円形可視光源３１で構成し、右側の可視光源３０を、青色円形可視光ビーム１０２を照光する青色円形可視光源３２で構成している。
【００５５】
この場合、Ｘ線照射軸２００Ｌの左側の赤色円形可視光源３１からは、赤色円形の可視光ビームが照光され、Ｘ線照射軸２００Ｌの右側の青色円形可視光源３２からは、青色円形の可視光ビームが照光される。そして、Ｘ線照射軸２００Ｌの交差ポイントＰでは、赤色円形可視光ビーム１０１と青色円形可視光ビーム１０２とが合成し、赤色と青色の円形が重なってマゼンダ色の一つの円形となる投影形状の可視光ビームとなり、交差ポイントＰより照光方向前方（Ｈｆ）では、赤色円形可視光ビーム１０１はＸ線照射軸２００Ｌに対して右側、青色円形可視光ビーム１０２はＸ線照射軸２００Ｌに対して左側となり、その間隔は徐々に広がっていく。  
なお、可視光源３０から交差ポイントＰまでの範囲を近接範囲Ｈｎ、交差ポイントＰより照光方向前方を遠隔範囲Ｈｆとしている。
【００５６】
このように、２つの可視光源３０を、Ｘ線照射軸２００Ｌに対して左側の赤色円形可視光源３１と、右側の青色円形可視光源３２とで構成することによって、可視光源３０（３１，３２）から可視光ビーム１００（１０１，１０２）を患部表面の皮膚に対して投影した状態において、マゼンダ色のほぼ円形の投影形状の可視光ビーム１００が投影されると患部表面の皮膚は交差ポイントＰの位置にあり、さらに、赤色円形可視光ビーム１０１が左側、青色円形可視光ビーム１０２が右側に投影されると、可視光源３０に対する患部表面の皮膚までの距離は近接範囲Ｈｎであり、赤色円形可視光ビーム１０１が右側、青色円形可視光ビーム１０２が左側に投影されると、可視光源３０に対する患部表面の皮膚までの距離は遠隔範囲Ｈｆであることがわかる。
【００５７】
なお、赤色円形可視光源３１から照光される赤色円形可視光ビーム１０１の赤色、青色円形可視光源３２から照光される青色円形可視光ビーム１０２の青色、及び赤色円形可視光ビーム１０１及び青色円形可視光ビーム１０２が交差ポイントＰで合成されたマゼンダ色は、いずれも肌色に非類似の色であるため、患部表面の皮膚に投影した状態で視認性が高い。
【００５８】
このように、患部表面の皮膚に投影された状態において視認性の高く肌色に非類似の色としては、黄色成分の少ない色の可視光であり、上述の赤色及び青色並びにその合成されたマゼンダ色の組み合わせ以外に、緑色及び青色並びに、その合成されたシアン色等の組み合わせであってもよい。
【００５９】
また、２つの可視光源３０が異なる照光形式で可視光ビーム１００を照光する別のパターンとしては、図３（ｂ）で示すように、可視光ビーム１００の投影形状が異なるように、左側の可視光源３０を、投影形状が逆Ｄ型である逆Ｄ型可視光ビーム１０３を照光する逆Ｄ型可視光源３３で構成し、右側の可視光源３０を投影形状がＤ型であるＤ型可視光ビーム１０４を照光するＤ型可視光源３４で構成することができる。また、皮膚表面に照光された投影形状により、右側または左側の可視光ビーム１００のどちらか一方なのか、あるいは両者が交差したもの（交差ポイントＰ）であるのかどうかがわかる。
【００６０】
このように、２つの可視光源３０をＸ線照射軸２００Ｌに対して左側の逆Ｄ型可視光源３３と、右側のＤ型可視光源３４とで構成することによって、可視光源３０から可視光ビーム１００を投影した状態において、交差ポイントＰでは、逆Ｄ型可視光ビーム１０３とＤ型可視光ビーム１０４とが合成されて投影形状が円形となる。つまり、交差ポイントＰで投影される投影形状、つまり交差ポイントＰに対して照光される照光形状が、交差ポイントＰで所望の円形となるように、各可視光源３０（３３，３４）から照光される可視光ビーム１００の照光形状（投影形状）を逆Ｄ型とＤ型に設定している。
【００６１】
したがって、可視光源３０（３３，３４）から可視光ビーム１００（１０３，１０４）を患部表面の皮膚に対して投影した状態において、円形の可視光ビーム１００が投影されると患部表面の皮膚は交差ポイントＰの位置にあり、さらに、逆Ｄ型の逆Ｄ型可視光ビーム１０３が左側、Ｄ型のＤ型可視光ビーム１０４が右側に投影されると、可視光源３０に対する患部表面の皮膚までの距離は近接範囲Ｈｎであり、逆Ｄ型の逆Ｄ型可視光ビーム１０３が右側、Ｄ型のＤ型可視光ビーム１０４が左側に投影されると、可視光源３０に対する患部表面の皮膚までの距離は遠隔範囲Ｈｆであることがわかる。このように、Ｄ型と逆Ｄ型の可視光ビームとを組み合わせれば、色を異ならせなくとも患部表面の皮膚までの距離が把握できる。また、これらについても色を異ならせるようにしても良いことは言うまでも無い。
【００６２】
なお、上述の説明では、２つの可視光源３０から照光される可視光ビーム１００の照光形式として、可視光源３０から照光される可視光ビーム１００の色や照光形状（投影形状）を異ならせたが、色と照光形状（投影形状）以外でも、明度、発光パターン、強度（照度）を異ならせてもよく、さらにはこれらの組み合わせでもよい。なお、発光パターンを異ならせる場合、例えば一方の光を点滅照射してもよいし、双方の光を点滅照射してその点滅パターンを異ならせるようにしてもよい。
【００６３】
このように、異なる照光形式で照光する可視光源３０（３１，３２あるいは３３，３４）を備えたＸ線ヘッド１０を有する口内法Ｘ線撮影装置１では、Ｘ線ヘッド１０で患部に対してＸ線ビーム２００を照射してＸ線撮影する前に、可視光源３０から照光された可視光ビーム１００を患部表面の皮膚に投影させ、患部表面の皮膚に対して適切な位置、つまり所望の照光形式で投影される交差ポイントＰとなるようにＸ線ヘッド１０を調整することができる。
【００６４】
具体的には、照光形式の異なる可視光源３０から可視光ビーム１００を照光し、患部表面の皮膚に投影させる。そのとき、投影形式（照光形式：色や形状）が、Ｘ線照射軸２００Ｌに対する２つの可視光源３０の配置と同配置であれば、患部表面の皮膚に対するＸ線ヘッド１０までの距離が近接範囲Ｈｎであるため、患部表面の皮膚が交差ポイントＰとなるように、Ｘ線ヘッド１０を患部表面の皮膚から離す方向に位置調整する。
【００６５】
これに対し、投影形式（照光形式：色や形状）が、Ｘ線照射軸２００Ｌに対する２つの可視光源３０の配置と比べて逆配置であれば、患部表面の皮膚に対するＸ線ヘッド１０までの距離が遠隔範囲Ｈｆであるため、患部表面の皮膚が交差ポイントＰとなるように、Ｘ線ヘッド１０を患部表面の皮膚に近づける方向に位置調整する。
【００６６】
このように、２つの可視光源３０から照光された可視光ビーム１００を患部表面の皮膚に投影し、そのＸ線照射軸２００Ｌに対する位置関係を確認することによって、患部表面の皮膚に対するＸ線ヘッド１０の距離が近接範囲Ｈｎにあるのか、それとも遠隔範囲Ｈｆにあるのか直ちに確認することができる。
【００６７】
また、２つの可視光源３０を、Ｘ線照射軸２００Ｌに対して、軸対称且つ水平となるように配置しているため、アーム５及びヘッドサポート６によって、Ｘ線ヘッド１０は回動軸６ａｘについて水平を維持しながら位置調整できるため、患部表面の皮膚に投影された２つの可視光ビーム１００も常に水平状態であり、患部表面の皮膚に対するＸ線ヘッド１０の位置調整を容易に行うことができる。
【００６８】
また、透明な照射筒２０を装着しているため、外部より、可視光源３０から照光される可視光ビーム１００を視認することができる。したがって、透明でない不透明な照射筒の場合において可視光ビーム１００の視認できる位置に回り込んで、投影された可視光ビーム１００を確認してＸ線ヘッド１０の位置調整を行う等の無駄がなく、安全且つ速やかに、投影された可視光ビーム１００を確認しながら、Ｘ線ヘッド１０を患部に対して適切な位置に、容易に位置調整することができる。  
したがって、ＣＣＤセンサやイメージングプレート等の検出器で効率よく、且つ正確な画像を撮影し、正確な画像に基づいて適確な診療を行うことができる。
【００６９】
また、２つの可視光源３０を、可視光照光軸１００Ｌが照射筒２０の貫通空間２０ａを通り、照射筒２０の筒先より前方のＸ線照射軸２００Ｌ上で交差するように配置しているため、可視光照光軸１００Ｌが照射筒２０の外側を通り、筒先より前方のＸ線照射軸２００Ｌ上で交差する場合と比較して、筒先より交差ポイントＰまでの距離の設定範囲が広がり、汎用性が高まる。
【００７０】
続いて、２つの可視光源３０の照光角度を、照射筒２０の種類（筒長さ）に応じて自動調整する角度自動調整手段に対応する照光角度自動調整機構５０について、図４乃至６とともに説明する。
【００７１】
なお、図４乃至図６において、（ａ）は筒長さの短い短照射筒２１を装着した場合の断面図を示し、（ｂ）は筒長さの長い長照射筒２２を装着した場合の断面図を示している。
【００７２】
可視光源３０の照光角度は、２つの可視光源３０から照光された可視光照光軸１００ＬがＸ線照射軸２００Ｌ上で交差する交差ポイントＰまでのＸ線ヘッド１０からの距離によって定まるものであり、患者の年齢や撮影部位等の患部表面の皮膚の状況、あるいは照射筒２０の筒長さによって、照光角度を調整し、交差ポイントＰまでの距離を適宜設定することは、Ｘ線ヘッド１０の利便性向上につながるものである。そのなかでも、ここで説明する照光角度自動調整機構５０は、照射筒２０の筒長さに応じて、可視光源３０の照光角度を自動調整するものである。
【００７３】
Ｘ線ヘッド１０に対して脱着可能に装着する照射筒２０は、照射筒２０の後ろ側（図４乃至６において図面下側）を縮径し、照射筒装着口１１に挿入する挿入縮径部２３を備えている。そして、図４に示す照光角度自動調整機構５０ａでは、短照射筒２１の挿入縮径部２３のＸ線照射軸方向の長さを長照射筒２２の挿入縮径部２３より長く形成している。
【００７４】
照光角度自動調整機構５０の例として、図４に示す照光角度自動調整機構５０ａは、可視光ビーム１００を照光する可視光源３０の後端部分に、可視光源３０を水平面状に枢動可能に軸支する枢動軸５１をＸ線ヘッド１０の内部の適宜部位に固定して設けるとともに、可視光源３０の前端を幅方向外側に付勢するコイルばね５２と、可視光源３０の前端から斜め前方に挿入縮径部２３の後端面に向かって延びるアーム５３とを備えている。
【００７５】
この構成により、照光角度自動調整機構５０ａは、照射筒装着口１１に挿入縮径部２３を挿入して照射筒２０（２１，２２）を装着すると、挿入縮径部２３の後端面がアーム５３を後方に押し付けるため、可視光源３０はコイルばね５２の付勢力に抗して、枢動軸５１を軸として可視光源３０の前方を幅方向内側に枢動する。
【００７６】
このとき、短照射筒２１の挿入縮径部２３に比べ、長照射筒２２の挿入縮径部２３は長さが短いため、アーム５３を後方に押し付ける押し付け量が少なく、幅方向内側向きの枢動量が少なくなり、短照射筒２１に比べて、可視光源３０の可視光照光軸１００Ｌの照光方向は浅くなり、照射筒２０の筒先から交差ポイントＰまでの距離を長く設定することができる。
【００７７】
照光角度自動調整機構５０の例として、図５に示す第２の照光角度自動調整機構５０ｂは、可視光ビーム１００を照光する可視光源３０の後端部分に、可視光源３０を水平面状に枢動可能に軸支する枢動軸５１を設けるとともに、左右の可視光源３０の前端同士を連結する連結部材５４を備えている。
【００７８】
そして、上述の照光角度自動調整機構５０ａとは異なり、短照射筒２１の挿入縮径部２３も長照射筒２２の挿入縮径部２３も同じ長さで形成しているが、短照射筒２１の挿入縮径部２３の幅方向中央部には、連結部材５４の中央部分を後方に押し付ける押し付け凸部２４を備えている。なお、左右の可視光源３０の前端同士を連結する連結部材５４は、可撓性及び弾性を有している。
【００７９】
この構成により、第２の照光角度自動調整機構５０ｂは、照射筒装着口１１に挿入縮径部２３を挿入して照射筒２０（２１，２２）を装着すると、短照射筒２１の押し付け凸部２４は、連結部材５４の中央部分を後方に押し付けるため、連結部材５４は後方に突な湾曲状態で撓み、左右の可視光源３０は枢動軸５１を軸として前方を幅方向内側に枢動する。これに対し、長照射筒２２は押し付け凸部２４を備えていないため、連結部材５４は撓まず、可視光源３０は枢動しない。
【００８０】
なお、連結部材５４は可撓性及び弾性を有しているため、短照射筒２１を取り外すと、押し付け凸部２４による撓みは解消され、連結部材５４の自己弾性力によって可視光源３０を元の状態に枢動して復元する。また、上述の説明では、長照射筒２２に押し付け凸部２４を備えていなかったが、短照射筒２１の押し付け凸部２４に比べて後方への突出量の少ない押し付け凸部２４を備えてもよい。
【００８１】
照光角度自動調整機構５０の例として、図６に示す第３の照光角度自動調整機構５０ｃは、可視光ビーム１００を照光する可視光源３０の後端部分に、可視光源３０を水平面状に枢動可能に軸支する枢動軸５１を設けるとともに、可視光源３０における前端付近に前方に突出する突出片５５を備え、さらに突出片５５を幅方向外側に向かって引っ張り方向に付勢するねじりバネ５６を備えている。
【００８２】
そして、短照射筒２１の挿入縮径部２３を長照射筒２２の挿入縮径部２３よりも長く形成するとともに、ともに挿入縮径部２３の後端内側部分に、突出片５５の当接を許容するテーパ部２３ａを形成している。また、テーパ部２３ａに当接する突出片５５の当接部分５５ａを円弧状に形成している。なお、図示省略するが、光源３０はバネ等の付勢手段によって突出片５５側に向いて付勢されている。また、枢動軸５１を設けずに突出片５５に光源３０を固定するようにしてもよい。
【００８３】
この構成により、第３の照光角度自動調整機構５０ｃは、照射筒装着口１１に挿入縮径部２３を挿入して照射筒２０（２１，２２）を装着すると、挿入縮径部２３のテーパ部２３ａは、突出片５５の当接部分５５ａに当接し、突出片５５を介して可視光源３０を後方に押し付ける。
【００８４】
このとき、テーパ部２３ａと当接部分５５ａとは、前後方向に対して交差する方向に当接しているため、ねじりバネ５６の付勢力に抗し、枢動軸５１を軸として可視光源３０の前方を幅方向内側に枢動する。このテーパ部２３ａによる突出片５５を介した押し込み量が長照射筒２２に比べて短照射筒２１の方が大きいため、短照射筒２１による可視光源３０の枢動量は大きくなる。なお、図４乃至６では可視光源３０を可動させる例について説明したが、可視光源３０を固定とし、長照射筒、短照射筒に設けられたミラー（またはプリズム等の光学手段）の角度を異ならせることによって照光角度を自動調整する構成であってもよい。
【００８５】
これまで、図４乃至６とともに、可視光源３０をＸ線ヘッド１０の内部に配置し、照射筒２０の貫通空間２０ａを可視光照光軸１００Ｌが通過してＸ線照射軸２００Ｌ上で交差するように可視光照光軸１００Ｌを照光する可視光源３０の照光角度自動調整機構５０について説明したが、続いて、照光角度自動調整機構５０の例として、図７に示すように、可視光源３０をＸ線ヘッド１０の前面１０ａに配置し、照射筒２０の外側から可視光ビーム１００を照光する場合における第４の照光角度自動調整機構５０ｄについて説明する。
【００８６】
なお、図７、図８（ａ）、図８（ｂ）は、Ｘ線ヘッド１０の前面１０ａに可視光源３０を配置したＸ線ヘッド１０の斜視図を示し、図８（ａ）は筒長さの短い短照射筒２１を装着した場合の断面図を示し、図８（ｂ）は筒長さの長い長照射筒２２を装着した場合の断面図を示している。
【００８７】
Ｘ線ヘッド１０の前面１０ａに可視光源３０を装着する場合、前面１０ａに設けた貫通孔３０ａを介して装着する。  
第４の照光角度自動調整機構５０ｄでは、可視光ビーム１００を照光する可視光源３０の長手方向中央前方寄りに、可視光源３０を水平面状に枢動可能に軸支する枢動軸５１を設けるとともに、可視光源３０における後端付近に幅方向中央に向かって突出する突出片５７を備えている。さらに、図示省略する付勢手段によって、可視光源３０の前方を幅方向外側向きに、つまり突出片５７を前方向きに付勢している。  
そして、長照射筒２２の挿入縮径部２３の後端側には、挿入縮径部２３の肉厚を薄く形成した薄肉部２３ｂを形成している。
【００８８】
この構成により、第４の照光角度自動調整機構５０ｄは、照射筒装着口１１に挿入縮径部２３を挿入して照射筒２０（２１，２２）を装着すると、挿入縮径部２３が突出片５７に当接して後方に押し付け、枢動軸５１を軸として可視光源３０の前方を幅方向内側に枢動する。このとき、長照射筒２２の挿入縮径部２３の後端には薄肉部２３ｂを備えているため、薄肉部２３ｂによる突出片５７の押し込み量が短照射筒２１の挿入縮径部２３に比べて少なくなり、長照射筒２２による可視光源３０の枢動量は小さくなる。
【００８９】
このように、可視光源３０の照光方向、つまり可視光源３０の照光角度を、照射筒２０の種類に応じて自動的に調整する照光角度自動調整機構５０（５０ａ，５０ｂ，５０ｃ，５０ｄ）を備えたことにより、撮影条件に適した筒長さや筒径で構成する様々な種類の照射筒２０（２１，２２）を、状況に応じて選択して用いてＸ線撮影することができるとともに、その選択した照射筒２０（２１，２２）に合わせてＸ線照射軸２００Ｌ上における交差ポイントＰのＸ線ヘッド１０や照射筒２０に対する距離を自動調整することができる。したがって、可視光源３０の照光角度が調整できない場合や、装着した照射筒２０に合わせて手動で照射筒２０の照光角度を調整する場合に比べて、操作性を向上することができる。
【００９０】
以上、この発明の構成と前述の実施形態との対応において、
この発明の異なる照光形式は、可視光源３０から照光される可視光ビーム１００の色や投影形状に対応し、
以下同様に、
可視光は、可視光ビーム１００、後述する可視平行光１００’、赤色円形可視光ビーム１０１、青色円形可視光ビーム１０２、逆Ｄ型可視光ビーム１０３、Ｄ型可視光ビーム１０４及び緑色可視光ビーム１０５に対応し、
照光手段は、可視光源３０，赤色円形可視光源３１，青色円形可視光源３２，逆Ｄ型可視光源３３，Ｄ型可視光源３４あるいは後述する緑色可視光源３５に対応し、
照光軸は、可視光照光軸１００Ｌに対応し、
Ｘ線発生装置は、Ｘ線ヘッド１０に対応し、
Ｘ線は、Ｘ線ビーム２００に対応し、
Ｘ線照射方向明示器は、それぞれから照光する可視光ビーム１００がＸ線照射軸２００Ｌ上で交差する照光角度に装着された２つの可視光源３０で構成し、
角度調整手段は、照光角度自動調整機構５０，５０ａ，５０ｂ，５０ｃ，５０ｄに対応し、
肌色に非類似の色は、赤色、青色、マゼンダ、シアン、あるいは、後述する緑色、や白色に対応し、
Ｘ線照射口は、照射筒装着口１１に対応し、
照射筒は、照射筒２０、短照射筒２１及び長照射筒２２、あるいは後述する可視光源付照射筒２６、可視光源付短照射筒２６ａ、及び可視光源付長照射筒２６ｂに対応し、
透光性樹脂は、透明樹脂に対応するも、
この発明は、前述の実施形態に限定されるものではない。
【００９１】
例えば、本実施形態では、可視光源３０を、Ｘ線ヘッド１０に装着したが、可視光源３０を備えないＸ線ヘッド１０に可視光源３０を装着するために、Ｘ線ヘッド１０への取付け手段を備えた可視光源３０を構成し、Ｘ線ヘッド１０に対して後付で装着してもよい。
【００９２】
具体的には、可視光源３０を、必ずしもＸ線ヘッド１０または照射筒２０に固定的に設けなくてもよく、図示省略するが、例えば可視光源３０のみをリング状の部材に設けて、そのリング状部材を照射筒２０に着脱自在にして装着するようにしてもよい。
【００９３】
また、図９に示すように、照射筒２０自体に可視光源３０を装着した可視光源付照射筒２６（２６ａ，２６ｂ）をＸ線ヘッド１０に装着してもよい。なお、図９（ａ）は可視光源付短照射筒２６ａの断面図を示し、図９（ｂ）は可視光源付長照射筒２６ｂの断面図を示している。
【００９４】
可視光源付照射筒２６（２６ａ，２６ｂ）は、前方の筒本体の厚みを、内部に可視光源３０を装着できる肉厚で構成し、厚み方向中央付近に、可視光源３０の装着を許容する装着孔２５を設け、装着孔２５に可視光源３０を挿入固定する。このとき、可視光源３０の照光角度を可視光源付短照射筒２６ａと可視光源付長照射筒２６ｂとで同じ角度に設定してもよく、図９に示すように、角度を変えてもよい。
【００９５】
このように、照射筒２０の本体に可視光源３０を装着することで可視光源３０を備えていないＸ線ヘッド１０に対しても、照射筒２０の代わりに可視光源付照射筒２６（２６ａ，２６ｂ）を装着することで、可視光源３０が照光する可視光ビーム１００を用いて、Ｘ線ヘッド１０から照射するＸ線ビーム２００が患部に対して適切な位置となるようにＸ線ヘッド１０を位置調整することができる。
【００９６】
なお、可視光源付照射筒２６を用いる場合、電源として電池を照射筒に内蔵していても良い。  
また、照射筒２０は、Ｘ線ヘッド１０と別体でなくとも、Ｘ線ヘッド１０の一部を構成するように一体として設けてもよい。この場合、照射筒２０の交換はできないが、例えば上述の短照射筒２１のような照射筒部がＸ線ヘッド１０の一部を構成するようにしてもよいし、上述の長照射筒２２のような照射筒部がＸ線ヘッド１０の一部を構成するようにしてもよい。いずれにしても、上述の可視光源３０が、固定でまたは照光角度自動調整機構５０を伴って設けられる。
【００９７】
また、上述の説明では、Ｘ線ヘッド１０において、Ｘ線照射軸２００Ｌに対して軸対称且つ水平方向となるように２つの可視光源３０を配置したが、３つ以上の可視光源３０を軸対称に配置してもよい。
【００９８】
例えば、３つの可視光源３０を配置する場合、図１０（ａ）に示すように、周方向においてＸ線照射軸２００Ｌに対して軸対称に等間隔に配置するとともに、上側の２つの可視光源３０が水平となるように、逆正三角形状に配置する。なお、図１０（ａ），（ｂ）は３つの可視光源３０を装着したＸ線ヘッド１０の背面側からの斜視図を示している。
【００９９】
このとき、３つの可視光源３０は、赤色円形可視光ビーム１０１を照光する赤色円形可視光源３１と、青色円形可視光ビーム１０２を照光する青色円形可視光源３２と、緑色可視光ビーム１０５を照光する緑色可視光源３５を配置している。
【０１００】
このように構成することにより、赤色円形可視光ビーム１０１、青色円形可視光ビーム１０２、及び緑色可視光ビーム１０５とが交差ポイントＰで合成され、白色に投影される。そのため、患部表面の皮膚に投影した状態において、各可視光ビーム１００（１０１，１０２，１０５）及び交差ポイントＰで合成された投影された白色の可視光も視認性が高く、より正確に、Ｘ線ヘッド１０を位置調整することができる。
【０１０１】
また、患部表面の皮膚に投影された可視光ビーム１００（１０１，１０２，１０５）の間隔を確認することによって、Ｘ線ヘッド１０の患部表面の皮膚に対する傾斜方向を確認することができる。  
詳しくは、例えば、３以上の可視光源３０を、Ｘ線照射軸２００Ｌを中心として等間隔で配置した場合、患部表面の皮膚に投影された可視光ビーム１００（１０１，１０２，１０５）の位置関係が等間隔でなければ、Ｘ線照射軸２００Ｌが患部表面の皮膚に対して傾斜する方向であることが確認できる。
【０１０２】
なお、色の組み合わせは、上記組み合わせに限らず、ある程度の波長の離れた色の組み合わせであれば、上述のように交差ポイントＰで投影される可視光は白色となるため、様々な組み合わせを設定することができる。
【０１０３】
また、３つの可視光源３０をＸ線ヘッド１０に装着する別のパターンとして、図１０（ｂ）に示すように、上述の図１０（ａ）に示す３つの可視光源３０と同じ配置とし、さらには、下側の可視光源３０に前方にコリメートレンズを配置する。
【０１０４】
この構成により、上の２つの可視光源３０からＸ線照射軸２００Ｌ上で交差する可視光ビーム１００を照光するとともに、コリメートレンズを介して、下の可視光源３０から、Ｘ線照射軸２００Ｌに沿った垂直方向の面状の可視平行光１００’を照光することができる。
【０１０５】
これにより、常に水平状態を維持できるＸ線ヘッド１０から照光された垂直方向の可視平行光１００’と、Ｘ線照射軸２００Ｌ上で交差する可視光ビーム１００とを確認しながら、患部表面の皮膚に対してＸ線ヘッド１０を更に精度良く位置調整することができる。
【符号の説明】
【０１０６】
１０…Ｘ線ヘッド
１１…照射筒装着口
１２…Ｘ線照射手段
２０…照射筒
２０ａ…貫通空間
２１…短照射筒
２２…長照射筒
２６…可視光源付照射筒
２６ａ…可視光源付短照射筒
２６ｂ…可視光源付長照射筒
３０…可視光源
３１…赤色円形可視光源
３２…青色円形可視光源
３３…逆Ｄ型可視光源
３４…Ｄ型可視光源
３５…緑色可視光源
４０…操作スイッチ
５０，５０ａ，５０ｂ，５０ｃ，５０ｄ…照光角度自動調整機構
１００…可視光ビーム
１００’…可視平行光
１００Ｌ…可視光照光軸
１０１…赤色円形可視光ビーム
１０２…青色円形可視光ビーム
１０３…逆Ｄ型可視光ビーム
１０４…Ｄ型可視光ビーム
１０５…緑色可視光ビーム
２００…Ｘ線ビーム
２００Ｌ…Ｘ線照射軸
【図１】
0005647043.tif 000002
【図２】
0005647043.tif 000003
【図３】
0005647043.tif 000004
【図４】
0005647043.tif 000005
【図５】
0005647043.tif 000006
【図６】
0005647043.tif 000007
【図７】
0005647043.tif 000008
【図８】
0005647043.tif 000009
【図９】
0005647043.tif 000010
【図１０】
0005647043.tif 000011